(57)【要約】【課題】箱体本体の底面開口から、箱本体内部で発生した暖気が通気用開口又は通線用開口を通って床下に流れることで再度暖気が箱本体に取り込まれる恐れを少なくし、箱体本体の前面側と後面側の両方、又は一方を選択的に施蓋可能な電気機器収納用箱体を提供する。【解決手段】箱体本体１の底面開口を施蓋する底板を、底面開口の略中間を施蓋する中間用底板と、中間用底板の前面側または後面側を施蓋する前後用底板とによって構成し、中間用底板の前面側及び後面側にスリットを設け、このスリットと係合する位置に前後用底板に舌片を設ける。【選択図】図４
2015082620.tif 000002
【特許請求の範囲】
【請求項１】
前面開口及び底面開口を有する箱体本体と、該箱体本体内に載置される情報通信機器等の電気機器と、前記前面開口を開閉可能に施蓋する扉体と、前記底面開口を施蓋する底板とからなり、該底板は、前記底面開口の前面側から後面側にかけての略中央に取り付ける中間用底板と該中間用底板の前面側と後面側の一方、又は両方に選択的に取り付ける前後用底板とからなることを特徴とする電気機器収納用箱体。
【請求項２】
前記底板において、前記中間用底板の前面側、及び後面側にはスリットを設け、該スリットと係合する位置に前記前後用底板に舌片を設け、該舌片を前記スリットに挿入し、係合させることを特徴とする請求項１に記載の電気機器収納用箱体。
【請求項３】
前記底板において、前記中間用底板と前記前後用底板との間に設けられる調整用底板であって、前記中間用底板の前面側、及び後面側には第一スリットを設け、前記調整用底板には第一スリットと係合する一方の位置に第一舌片を設けると共に、他方に第二スリットを設け、前記前後用底板の前記第二スリットと係合する位置に第二舌片を設け、該第二舌片を前記第二スリットに挿入し、係合させることを特徴とする請求項１に記載の電気機器収納用箱体。
【発明の詳細な説明】
【技術分野】
【０００１】
本発明は、情報通信機器等を内部に載置可能な電気機器収納用箱体に関するものである。
【背景技術】
【０００２】
従来、情報通信機器等を内部に収納する電気機器収納用箱体には、特許文献１に記載された発明のような、箱本体の底面を閉塞する底板６３であって、底板６３には各開口面積が箱本体の底面積の１／３以下となる通気用開口６１及び通線用開口６２を開設することで、底板６３の下方から箱本体内への冷気の取り入れを容易にしたものがある。
【先行技術文献】
【特許文献】
【０００３】
【特許文献１】特開２００９−２１２３９１号公報
【発明の概要】
【発明が解決しようとする課題】
【０００４】
しかしながら、特許文献１に記載の発明では、底板には常に通気用開口及び通線用開口が設けられた状態となるため、箱本体内部で発生した暖気が通気用開口又は通線用開口を通って床下に流れることで再度暖気が箱本体に取り込まれる恐れがある。
【課題を解決するための手段】
【０００５】
上記した課題を解決するためになされた本発明の電気機器収納筐体は、前面開口及び底面開口を有する箱体本体と、箱体本体内に載置される情報通信機器等の電気機器と、前面開口を開閉可能に施蓋する扉体と、底面開口を施蓋する底板とからなり、底板は、底面開口の前面側から後面側にかけての略中央に取り付ける中間用底板と、中間用底板の前面側と後面側の一方、又は両方に選択的に取り付ける前後用底板とからなる。
【０００６】
又、底板において、中間用底板の前面側、及び後面側にはスリットを設け、スリットと係合する位置に前後用底板に舌片を設け、舌片をスリットに挿入し、係合させる。
【０００７】
又、底板において、中間用底板と前後用底板との間に設けられる調整用底板であって、中間用底板の前面側、及び後面側には第一スリットを設け、調整用底板には第一スリットと係合する一方の位置に第一舌片を設けると共に、他方に第二スリットを設け、前後用底板の第二スリットと係合する位置に第二舌片を設け、第二舌片を第二スリットに挿入し、係合させる。
【発明の効果】
【０００８】
本発明の電気機器収納用箱体によれば、底板を中間用底板と前後用底板とに分割して形成することで、箱体本体内部に載置する電気機器への配線に使用する箇所にのみスペースを設けることが可能である。又、箱体本体の前面側、及び後面側について、必要箇所のみ前後用底板を外すことで箱体本体内部で発生した暖気が底面開口を通って床下に流れ、床下の通気スペースを通じて、再度暖気が箱体本体に取り込まれる恐れを少なくすることが可能である。
【０００９】
又、中間用底板に設けたスリットに、前後用底板に設けた舌片を挿入して固定するため、前後用底板に使用する固定部材を削減することが可能である。
【００１０】
又、中間用底板と前後用底板との間に調整用底板を設けることで、箱体本体内部に載置された電気機器への配線に合わせて底面開口の大きさを調整することが可能である。
【図面の簡単な説明】
【００１１】
【図１】図１は本発明の実施例１における、電気機器収納用箱体の全体斜視図である。
【図２】図２は図１のＡ−Ａ線での上面断面図である。
【図３】図３は本発明の実施例１における箱体本体底面の斜視図である。
【図４】図４は本発明の実施例１における、底板の分解斜視図である。
【図５】図５は本発明の実施例２における、底板の分解斜視図である。
【図６】図６は従来技術における、底板の斜視図である。
【発明を実施するための形態】
【００１２】
本発明では、底板を中間用底板と、中間用底板の前面側及び後面側に配置可能な前後用底板とによる構成としたため、底板の前面側または後面側から選択的に開口を設けることを可能とした。
【実施例１】
【００１３】
前面開口及び底面開口を有する箱体本体１と、箱体本体１内に載置される情報通信機器等の電気機器と、前面開口を開閉可能に施蓋する扉体２と、底面開口を施蓋する底板３３とからなり、底板は、底面開口の前面側から後面側にかけての略中央に取り付ける中間用底板１４、２４、３４と中間用底板１４、２４、３４の前面側と後面側の一方、又は両方に選択的に取り付ける前後用底板１５、２５、３５とからなる。中間用底板１４、２４、３４の前面側、及び後面側にスリット１６、２６、３６を設け、前後用底板１５、２５、３５には、前面側又は後面側の一方であって、スリット１６、２６、３６と係合する位置に舌片１７、２７、３７を設けると共に、他方を箱体本体１にネジ止めにより固定可能とした。中間用底板１４、２４、３４を底面開口の略中央にネジ止めし、前後用底板１５、２５、３５の一方に設けた舌片１７、２７、３７をスリット１６、２６、３６に挿入し、他方をネジ止めによって箱体本体１に固定する。
【００１４】
これにより、底板３３を中間用底板１４、２４、３４と前後用底板１５、２５、３５とに分割して形成することで、箱体本体１内部に載置する電気機器への配線に使用する箇所にのみスペースを設けることが可能である。又、箱体本体１の前面側、及び後面側について、必要箇所のみ前後用底板１５、２５、３５を外すことで箱体本体１内部で発生した暖気が底面開口を通って床下に流れ、床下の通気スペースを通じて、再度暖気が箱体本体１に取り込まれる恐れを少なくすることが可能である。又、中間用底板１４、２４、３４に設けたスリット１６、２６、３６に、前後用底板１５、２５、３５に設けた舌片１７、２７、３７を挿入して固定するため、前後用底板１５、２５、３５に使用するネジなどの固定部材を削減することが可能である。又、箱体本体１において、前面側に取り付ける前後用底板１５、２５、３５と後面側に取り付ける前後用底板１５、２５、３５とを同一形状とすることで、その区別なく使用可能となり、取り付けの作業性を向上させることが可能である。
【実施例２】
【００１５】
前面開口及び底面開口を有する箱体本体１と、箱体本体１内に載置される情報通信機器等の電気機器と、前面開口を開閉可能に施蓋する扉体２と、底面開口を施蓋する底板４３とからなり、底板４３は、底面開口の前面側から後面側にかけての略中央に取り付ける中間用底板４４と中間用底板４４の前面側と後面側の一方、又は両方に選択的に取り付ける前後用底板４５とからなる。中間用底板４４の前面側、及び後面側にスリット４６を設け、前後用底板４５には、前面側又は後面側の一方であって、スリット４６と係合する位置に舌片４７を設けると共に、他方を箱体本体１にネジ止めにより固定可能とした。中間用底板４４を底面開口の略中央にネジ止めし、前後用底板４５の一方に設けた舌片４７をスリット４６に挿入し、他方をネジ止めによって箱体本体１に固定する。中間用底板４４と前後用底板４５との間に設けられる調整用底板５０であって、中間用底板４４の前面側、及び後面側には第一スリット４６を設け、調整用底板５０には第一スリット４６と係合する一方の位置に第一舌片４９を設けると共に、他方に第二スリット４８を設け、前後用底板４５の第二スリット４８と係合する位置に第二舌片４７を設け、第二舌片４７を第二スリット４８に挿入し、係合させる。
【００１６】
これにより、底板４３を中間用底板４４と前後用底板４５、調整用底板５０に分割して形成することで、箱体本体１内部に載置する電気機器への配線に使用する箇所にのみスペースを設けることが可能であり、箱体本体１内部に載置された電気機器への配線に合わせて底面開口の大きさを調整することが可能である。又、箱体本体１の前面側、及び後面側について、必要箇所のみ前後用底板４５、又は調整用底板５０を外すことで箱体本体１内部で発生した暖気が底面開口を通って床下に流れ、床下の通気スペースを通じて、再度暖気が箱体本体１に取り込まれる恐れを少なくすることが可能である。又、中間用底板４４に設けたスリット４６に、前後用底板４５に設けた舌片４７を挿入して固定するため、前後用底板４５に使用するネジなどの固定部材を削減することが可能である。
【産業上の利用可能性】
【００１７】
底板を中間用底板と前後用底板に分けることで、電気機器収納用箱体の底面開口の調整が可能となり、配線に必要な開口を得ると共に、箱体本体内部からの暖気が再度取り込まれる恐れを少なくすることが可能となる。
【符号の説明】
【００１８】
１    箱体本体
２    扉体
３３、４３、６３    底板
１４、２４、３４、４４    中間用底板
１５、２５、３５、４５    前後用底板
１６、２６、３６、４６    スリット（第一スリット）
１７、２７、３７、４７    舌片（第二舌片）
４８    第二スリット
４９    第一舌片
５０    調整用底板
６１    通気用開口
６２    通線用開口
【図１】
2015082620.tif 000003
【図２】
2015082620.tif 000004
【図３】
2015082620.tif 000005
【図４】
2015082620.tif 000006
【図５】
2015082620.tif 000007
【図６】
2015082620.tif 000008